【事件の表示】
　特願２０１２−１３４９８７「スポーツ用手袋」拒絶査定不服審判事件〔平成２５年１２月２６日出願公開、特開２０１３−２５５７４８、請求項の数（６）〕について、次のとおり審決する。
【結　論】
　原査定を取り消す。
　本願の発明は、特許すべきものとする。
【理　由】
第１　手続の経緯 
　本願は、平成２４年６月１４日付けの特許出願であって、原審において平成２８年４月７日付けで拒絶理由通知がされた後、同年５月２０日付けで手続補正がされ、同年１０月１１日付けで拒絶査定（以下「原査定」という。原査定の謄本の送達（発送）日　同月１８日。）がされ、これに対して、平成２９年１月１８日に拒絶査定不服審判が請求されると同時に手続補正書が提出されて特許請求の範囲を補正する手続補正がなされたものである。 
 　 
第２　原査定の概要
　原査定に係る拒絶理由の概要は、次のとおりである。
１．原査定時の請求項１ないし５に係る各発明は、下記の引用文献１に記載された発明であって、特許法第２９条第１項第３号に規定する発明に該当するから特許を受けることができない。
２．原査定時の請求項１ないし５に係る各発明は、下記の引用文献１に記載された発明に基いて当業者が容易に発明をすることができたものであり、同じく請求項６に係る発明は、下記の引用文献１ないし３に記載された発明あるいは周知の技術的事項に基いて、当業者が容易に発明をすることができたものであるから、当該各請求項に係る発明は、特許法第２９条第２項の規定により特許を受けることができない。 
　
　＜引用文献等一覧＞
　１．実願昭５６−８９９４号（実開昭５７−１２１６１５号）のマイクロフィルム
　２．米国特許出願公開第２００４／０２４４０９２号明細書（周知技術を示す文献）
　３．実願昭４８−１１４８４４号（実開昭５０−６５５７２号）のマイクロフィルム（周知技術を示す文献）
　
第３　審判請求時の補正について
　以下のとおり、審判請求時の補正は、特許法第１７条の２第３項から第６項までに規定されている要件に違反するものではない。
　審判請求時における、請求項１に「伸びの少ない柔軟な素材である」という事項を追加する補正は、特許請求の範囲の減縮を目的とするものである。また、上記追加事項は、当初明細書の段落【００２３】に記載されているから、審判請求時の補正は新規事項を追加するものではない。
　そして、「第４　本願の発明」から「第７　むすび」までに示されているように、補正後の請求項１ないし６に係る発明は、独立特許要件を満たすものである。
　
第４　本願の発明  
　本願の請求項１ないし６に係る発明（以下それぞれ「本願発明１」ないし「本願発明６」という。）は、平成２９年１月１８日付けの手続補正書で補正された特許請求の範囲の請求項１ないし６に記載された事項により特定される発明であり、本願発明１は次のとおりのものである。
　「【請求項１】 
　ストレッチ素材を部分的に配置した伸びの少ない柔軟な素材である天然皮革、人工皮革又は合成皮革からなるスポーツ用手袋において、前記ストレッチ素材を、小指、薬指でバットまたはクラブを把持した際に、大きく膨らむ甲側面部分の小指外転筋を覆う領域に配置したことを特徴とするスポーツ用手袋。」
　
　なお、本願発明２ないし６は、本願発明１を引用し、これを更に減縮した発明である。
　
第５　引用文献、引用発明等
１．引用文献１について
　原査定の拒絶の理由に引用された、本願の出願前の昭和５７年７月２８日に頒布された刊行物である引用文献１（実願昭５６−８９９４号（実開昭５７−１２１６１５号）のマイクロフィルム）には、図面と共に次の事項が記載されている。（以下の下線は、いずれも審決で付した。引用文献２以下についても同様である。） 
　「この考案は
野球、ゴルフ、テニス等のときに用いるスポーツ用手袋
　従来から野球においては
バット
ゴルフクラブ
を把握するときに
着用する
これらの手袋は柔軟な皮革、合成皮革等が用いられているが、伸縮性に乏しい
　かかる欠点に鑑みて改良したのがこの考案であり、その実施数例を図面について説明する。」（第２頁第４行〜第３頁第３行）
　「実施例２
　
皮革その他からなる手袋本体１の甲側において、指節関節部Ａ−Ａ’、Ｂ−Ｂ’−Ｂ”、Ｃ−Ｃ’−Ｃ“、Ｄ−Ｄ’−Ｄ”、Ｅ−Ｅ’−Ｅ”を包含する甲部と指部を切欠し、該切欠部に伸縮生地２を縫着する。この伸縮生地２はＥ−Ｅ’−Ｅ”に位置する部分を他部よりもより伸縮率の大きい生地２’を用いた
スポーツ用手袋
　「なお、手を平にしたときと手を握ったときに皮膚の伸びを測定すると、次のように伸びることが判明した。
　　　Ａ−Ａ’の伸び　　　約１２６％
　　　Ｂ−Ｂ”の伸び　　　約１２７％
　　　Ｃ−Ｃ”の伸び　　　約１２４％
　　　Ｄ−Ｄ”の伸び　　　約１２９％
　　　Ｅ−Ｅ”の伸び　　　約１３９％
　したがって、把握において手袋は甲側が伸びるようにすることが有効な手段であり、
最も伸びるＥ−Ｅ”の部分、つまり小指部が他の指部よりも伸びが大きいから、その伸びを抑制しない方が把握力を高められるので、実施例２のように構成するとゴルフクラブの把握などに有効である
　
　第１図から、「指節関節部Ａ−Ａ’、Ｂ−Ｂ’−Ｂ”、Ｃ−Ｃ’−Ｃ”、Ｄ−Ｄ’−Ｄ”、Ｅ−Ｅ’−Ｅ”」は、五つの指のそれぞれの指節関節部をいったものであり、そのうち、「Ｅ−Ｅ’−Ｅ”」は小指の指節関節部をいったものであることが看取できる。
 　 
　上記の記載事項を総合すると、引用文献１には、次の発明（以下、「引用発明」という。）が記載されていると認定できる。 
　「柔軟ではあるが伸縮性に乏しい皮革その他からなる手袋本体１の甲側において、五つの指それぞれの指節関節部を包含する甲部と指部を切欠し、該切欠部に伸縮生地２を縫着した、野球、ゴルフ、テニス等のときに用いるスポーツ用手袋であって、この伸縮生地２は小指の指節関節部に位置する部分を他部よりもより伸縮率の大きい生地２’を用いて、他の指部よりも伸びが大きい小指部の伸びを抑制しないようにして把握力を高めることにより、ゴルフクラブの把握などに有効であるスポーツ用手袋。」 
 　 
２．引用文献２について 
　また、原査定の拒絶の理由に引用された、本願の出願前の２００４（平成１６年）年１２月９日に頒布された刊行物である引用文献２（米国特許出願公開第２００４／０２４４０９２号明細書）には図面と共に次の事項が記載されている。（なお、原文の後の括弧｛｝内に記載したものは、当審での訳文である。）
　「【0001】  This invention relates generally to gloves, and more specifically to sports gloves such as golf gloves having an improved design that allows the direct embroidery of a logo or design directly to the back of the glove to improve the appearance of the glove. 」 
 ｛「【０００１】　 この発明は一般的には手袋に係り、より詳細には、
ゴルフ用の手袋のようなスポーツ手袋
　「【0016】  As shown in  FIG. 1 , a slit  28  extends from the open end  30  of glove  10  below tab  24  and patch  26 . The length of slit  28  is great enough that the open end 30 of glove 10 can be stretched over a conventional embroiderying device, for example either a tubular, oval sock, or rotary frame, for the direct embroidery step of this invention. It will be appreciated by those skilled in the art that the combination of a palm side tab  24  and extended slit  28  allows glove  10  to be stretched over a conventional hoop and directly embroidered in accordance with this invention. 」
　｛「【００１６】 図１に示されるように、
スリット２８
手袋１０の開放端３０から延びている
スリット２８の長さは
十分大きなもの
　図１から、スリット２８は手袋１０の親指側に形成されていることが看取できる。
　
　したがって、上記引用文献２には、「ゴルフ用の手袋のようなスポーツ手袋において、スリットを手袋の親指側に形成する」という技術事項が記載されていると認められる。
 　
３．引用文献３について 
　また、原査定の拒絶の理由に引用された、本願の出願前の昭和５０年６月１３日に頒布された刊行物である引用文献３（実願昭４８−１１４８４４号（実開昭５０−６５５７２号）のマイクロフィルム）には、図面と共に次の事項が記載されている。 
　「本考案は
ゴルフ手袋
　従来から、ゴルフ手袋は、ベルトを片方から締めるものであるが、本考案のゴルフ手袋は両サイドから、幅広のベルトで締めるもので革のたるみがない特徴がある。又、
手袋部の両方に切り込みがあるので、残された中央部分を指方向にめくると、手袋が脱げやすい
　「・・・手袋には、
２つの切り込み（３）（４）
両サイドにある
　
　第１ないし３図から、「切り込み（３）」が、手袋の甲部の親指側に設けられていることが看取できる。
 　 
　ゴルフ手袋は「スポーツ手袋」といえるし、上記の「切り込み（３）」は手袋の着脱を容易にする、本願発明６の「スリット形状の履き口」に相当するものである。したがって、上記引用文献３には、「スポーツ手袋においてスリット形状の履き口を手袋の甲部の親指側に形成する」という技術事項が記載されていると認められる。 　  　
 
第６　対比・判断　
１．本願発明１について 
（１）対比 
　本願発明１と引用発明とを対比すると、後者の「スポーツ用手袋」は、野球やゴルフ等に用いられるものであるから、前者の「スポーツ用手袋」に相当し、以下同様に、「『伸縮生地２』、及び『より伸縮率の大きい生地２’』」は「ストレッチ素材」に、「柔軟ではあるが伸縮性に乏しい皮革」は「伸びの少ない柔軟な素材である天然皮革、人工皮革又は合成皮革」に、それぞれ相当する。
　また、後者において「手袋本体１の甲側において、五つの指それぞれの指節関節部を包含する甲部と指部を切欠し、該切欠部に伸縮生地２を縫着した」としているのは、「（手袋に）ストレッチ素材を部分的に配置した」といえる。
  　 
　したがって、両者は、  
　「ストレッチ素材を部分的に配置した伸びの少ない柔軟な素材である天然皮革、人工皮革又は合成皮革からなるスポーツ用手袋。」  
 　の点で一致し、以下の点で相違している。 
 　 
　［相違点］　ストレッチ素材の配置部分が、本願発明１では「小指、薬指でバットまたはクラブを把持した際に、大きく膨らむ甲側面部分の小指外転筋を覆う領域」であるのに対し、引用発明では「五つの指それぞれの指節関節部を包含する甲部と指部を切欠し、該切欠部に伸縮生地２を縫着し、この伸縮生地２は小指の指節関節部に位置する部分を他部よりもより伸縮率の大きい生地２’を用いている」ものの、甲側面部分の小指外転筋を覆う領域には及んでいない点。
 　 
（２）判断 
　そうすると、引用発明は、上記相違点に係る本願発明１の発明特定事項を具備していない。
　したがって、本願発明１が、引用発明であるとすることはできない。
　次に、上記相違点について以下検討する。
　引用文献２、３にも、上記相違点に係る本願発明１の発明特定事項は開示されていないし、これを示唆するものもない。
　また、上記相違点に係る本願発明１の発明特定事項が、当業者にとって設計事項であるとする根拠もない。
　そして、本願発明１は上記相違点に係る発明特定事項を備えることによって、「小指、薬指でしっかりとバット等を把持した際に、小指側の手の甲の側面部分が大きく膨らんでも、この膨らみに追随して小指外転筋を覆う領域に配置したストレッチ素材が伸びるので、素手で握った場合と同様のフィット感、グリップ感が得られる」（段落【００１７】参照。）という作用効果を奏するものである。
　したがって、本願発明１は、引用発明、及び引用文献２、３に記載された技術的事項に基づいて、当業者が容易に発明をすることができたものともいえない。 
 　 
２．本願発明２ないし６について 
　本願発明２ないし６も、本願発明１の上記相違点に係る発明特定事項を備えるものであるから、本願発明１についてと同様の理由で引用発明とはいえないし、また、引用発明、及び引用文献２、３に記載された技術的事項に基づいて、当業者が容易に発明をすることができたものともいえない。　
　
第７　むすび 
　以上のとおりであるから、本願発明１ないし６は、引用発明とはいえないし、また、引用発明及び引用文献２、３に記載された技術的事項に基づいて、当業者が容易に発明をすることができたものではない。
　したがって、原査定の理由によっては、本願を拒絶することはできない。
　また、他に本願を拒絶すべき理由を発見しない。 
 　 
　よって、結論のとおり審決する。